(57)【要約】【課題】例えば道路・通路等の路上、駐車場その他の路面上に降り積もった新雪等を掬い、押し運び、路外の積雪可能な場所等に投げ、除雪するときに、ブレードに載せた雪のバランスが崩れても、握柄が回転しにくい雪かき具を提供する。【解決手段】円柱状の握柄２と、該握柄２の先端に設けられたブレード３とからなる雪かき具であって、握柄２の一部若しくは全部に凹形状に形成された回転滑り止め溝部４を複数本で周設し、使用者の握力で握柄２の回転を容易に阻止できる機能を持たせる。【選択図】図１
2009019334.tif 000002
【特許請求の範囲】
【請求項１】
円柱状の握柄と、該握柄の先端に設けられたブレードとからなる雪かき具であって、握柄の一部若しくは全部に凹形状に形成された回転滑り止め溝部を複数本で周設し、使用者の握力で握柄の回転を阻止できるようにしたことを特徴とする回転しにくい雪かき具。
【請求項２】
回転滑り止め溝部は、使用者が手で握る握柄のブレードに近い支点となる部位に周設されている請求項１記載の回転しにくい雪かき具。
【請求項３】
回転滑り止め溝部は、使用者が手で握る握柄のブレードに近い支点となる部位と、ブレードから遠く、支点とならない方の手で握る部位とにそれぞれ周設されている請求項１記載の回転しにくい雪かき具。
【請求項４】
回転滑り止め溝部は、握柄の全長にわたって周設されている請求項１記載の回転しにくい雪かき具。
【請求項５】
回転滑り止め溝部の断面形状は、円弧状、Ｕ字状、Ｖ字状のいずれかの形状を呈してなる請求項１乃至４のいずれか記載の回転しにくい雪かき具。
【発明の詳細な説明】
【技術分野】
【０００１】
本発明は、例えば道路・通路等の路上、駐車場その他の路面上に降り積もった新雪等を掬い、押し運び、路外の積雪可能な場所等に投げ、除雪するときに使用する回転しにくい雪かき具に関する。
【背景技術】
【０００２】
従来、除雪の道具として一般家庭をはじめ様々な降雪地域において広く用いられている雪かき具として、例えば特許文献１に開示されているように、雪を掬う樹脂製のブレードと当該ブレードに連結された柄とを備え、ブレードには複数の透孔を形成し、該透孔の周囲にリブを形成することで、雪かき時に透孔の周縁部に応力が集中するようなことがあってもそのリブにより強度を向上させることができるものとした雪かき具が存在する。
【０００３】
また、特許文献２に開示されているように、握柄の先端に雪運搬部を設けた雪かきスコップにおける当該雪運搬部の基面に巾方向の中心線に対して左右対称に先端側ほど該中心線から離れるように構成された凹条を設けることで、雪運搬部で雪を押動するに際し、雪は抵抗を受けることなく該凹条に誘導されて雪運搬部内に導入されるようにした雪かきスコップが存在する。
【特許文献１】特開平５−１１８０１４号公報
【特許文献２】特開平８−１２８０６４号公報
【発明の開示】
【発明が解決しようとする課題】
【０００４】
しかしながら、上述のように従来においては、特許文献１の雪かき具のブレードや、特許文献２の雪かきスコップの雪運搬部に対しての種々の改良が施されているものの、握柄（柄）に対しては例えば回転滑り止め等を施すというような、使用勝手が向上するような何等の改良もなされていないのが実状である。
【０００５】
すなわち、除雪作業に際し、先ず図６（ａ）に示すように、握柄２における支点となる方の手Ｈで握る部位と、支点とならない方の手Ｈで握る部位とを両手Ｈで持って雪Ｐを掻き取り、図６（ｂ）に示すように、１回で例えば最大重量約６ｋｇ程度の雪Ｐを雪かき具のブレード３に載せる。そして、図６（ｃ）に示すように、両手Ｈを左右に振るような勢いで雪Ｐを数メートル投げ飛ばして除雪している。
【０００６】
このとき、ブレード３に載せた雪Ｐは、図７（ａ）に示すように、左右均等にバランス良く載るとは限らず、重量的な片寄りが生じているのが一般的である。そのため図７（ｂ）または図７（ｃ）に示すように、左右の載雪バランスが崩れていることで生じる重量の片寄りによって握柄２が回転してしまい、雪Ｐを投げ飛ばす前にブレード３から当該雪Ｐが滑り落ちてしまうことがある。特に、従来製品によれば約６ｋｇ程度の雪Ｐをブレード３に載せた場合、６対４の割合で重量バランスが崩れ、そのときは握柄２の回転を阻止するのは困難である。
【０００７】
また、ブレード３に載せた雪Ｐの量が少なくて軽いときは、多少のアンバランスが生じても握柄２を手Ｈで強く握ることで回転滑りを阻止できても、降雪量が多くなると１回毎にブレード３に載せる雪の量も多くなりバランスが崩れ、雪Ｐを投げ飛ばす前に握柄２が回転してブレード３から当該雪Ｐが落下してしまう頻度も多くなる。その結果、除雪作業をスムーズに行うことができず、精神的に苛立つことも屡あった。
【０００８】
そこで、本発明は以上のような従来存在した諸事情に鑑み創出されたもので、ブレードに載せた雪の左右バランス等の崩れに伴う重量の片寄りによって、雪を滑り落とさせるような回転モーメントが当該ブレードに作用してもこれを確実に抑えることができ、雪を投げ飛ばす前にブレードから当該雪が落下してしまうのを未然に防止して、除雪作業を効率的に行なえるものとした回転しにくい雪かき具を提供することを目的とする。
【課題を解決するための手段】
【０００９】
上述した課題を解決するため、本発明にあっては、円柱状の握柄２と、該握柄２の先端に設けられたブレード３とからなる雪かき具であって、握柄２の一部若しくは全部に凹形状に形成された回転滑り止め溝部４を複数本で周設し、使用者の握力で握柄２の回転を阻止できるようにしたことを特徴とする。
回転滑り止め溝部４は、使用者が手Ｈで握る握柄２のブレード３に近い支点となる部位に周設されていたり、使用者が手Ｈで握る握柄２のブレード３に近い支点となる部位と、ブレード３から遠く、支点とならない方の手Ｈで握る部位とにそれぞれ周設されていたりしているものとすることができる。
また、回転滑り止め溝部４は、握柄２の全長にわたって周設されているものとすることができ、少なくとも、使用者が手Ｈで握る握柄２のブレード３に近い支点となる部位から、ブレード３から遠く、支点とならない方の手Ｈで握る部位に至るまでの全長にわたって周設されていても良い。
更に、回転滑り止め溝部４の断面形状は、円弧状、Ｕ字状、Ｖ字状のいずれかの形状を呈してなるものとすることができる。
【００１０】
以上のように構成された本発明に係る回転しにくい雪かき具にあって、回転滑り止め溝部４は、握柄２の周面に断面で円弧状、Ｕ字状、Ｖ字状のいずれかの凹形状に形成した状態で周設され、凹凸形状になっているため、握柄２を手Ｈで握った際には、その使用者の握力で手Ｈを回転滑り止め溝部４内へしっかりと食い込ませて回転方向への滑りを阻止させる。そのため、除雪に際し、ブレード３に載せられた雪Ｐが、その左右で重量的なバランスが崩れることで当該ブレード３自体に片寄りが生じて握柄２が左右に回転されようとしてもこの回転を阻止させる。
また、握柄２において、少なくとも支点となる方の手Ｈで握る握柄２のブレード３に近い部位に周設されている回転滑り止め溝部４は、載せられた雪の左右バランスの崩れによってブレード３に作用する回転モーメントを握柄２の支点部位で効率的に抑えさせる。
すなわち、握柄２の支点部位における回転滑り止め溝部４は、これに対する使用者の握力でしっかりと抑えられることで、ブレード３の回転モーメントに対する大きな抵抗力を生じさせ、握柄２の回転を阻止させる。
【発明の効果】
【００１１】
本発明によれば、除雪に際し、ブレード３に載せられた雪の左右バランスの崩れに伴う重量の片寄りによって当該ブレード３に回転モーメントが作用しても、これを確実に抑えることができ、雪Ｐを投げ飛ばす前にブレード３から当該雪Ｐが落下してしまうのを未然に防止できる。
【００１２】
すなわち、これは本発明が、円柱状の握柄２と、該握柄２の先端に設けられたブレード３とからなり、握柄２の一部若しくは全部に凹形状に形成された回転滑り止め溝部４を複数本で周設し、使用者の握力で握柄２の回転を阻止できるようにしたからであり、これにより、ブレード３に載せた雪の左右バランスの崩れに伴う重量の片寄りによってブレード３に作用する回転モーメントを確実に抑えることができる。
【００１３】
特に、最大雪載量である例えば約６ｋｇ程度の雪Ｐをブレード３に載せた際に、例えば６対４の割合になる雪Ｐの片寄りがあった場合であっても、使用者の手Ｈの握力による回転滑り止め溝部４に対する抑えによって、握っている手Ｈに対して握柄２が回転方向に滑らないことから、雪Ｐを投げ飛ばす前にブレード３から当該雪Ｐが落下してしまうのを未然に防止できる。
【００１４】
回転滑り止め溝部４は、握柄２のブレード３に近い支点となる方の手Ｈで握る部位に周設されているので、雪を載せたときの左右バランスの崩れによってブレード３に作用する回転モーメントを、握柄２の支点部位で効率的に抑えることができる。
【００１５】
回転滑り止め溝部４は、握柄２のブレード３に近い支点となる方の手Ｈで握る部位と、ブレード３に遠く、支点とならない方の手Ｈで握る部位とにそれぞれ周設されているので、ブレード３に載せた雪の左右バランスの崩れによっても、ブレード３に作用する回転モーメントを握柄２の支点部位と後方の支点でない部位との２点でもって効率的且つ確実に抑えることができる。
【００１６】
回転滑り止め溝部４は、握柄２の全長にわたって周設されているので、握柄２を握持する両手Ｈが握柄２のどの位置にあってもブレード３に作用する回転モーメントを効率的且つ確実に抑えることができる。
【００１７】
回転滑り止め溝部４の断面形状は、円弧状、Ｕ字状、Ｖ字状のいずれかの形状を呈してなるので、握柄２を手Ｈで握った際には、当該手Ｈを回転滑り止め溝部４内にしっかりと食い込ませることができ、これによって手Ｈに対する握柄２の回転方向への滑りを確実に阻止できる。
【００１８】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１９】
以下、図面を参照して本発明を実施するための最良の一形態を説明する。図において示される符号１は、両手Ｈで持つ長さが例えば約１．２５ｍ程度の円柱棒状の握柄２の先端に雪かき用としての例えば略コ字形平板状のブレード３を備えてなる雪かき用の雪かき具本体である。尚、雪かき具本体１を構成する握柄２は、木製または合成樹脂製または金属製等の何れであっても良く、場合によっては中空に形成されていることもある。
【００２０】
尚、ブレード３は図示のように、例えば路面上に降り積もった雪Ｐを掻き取り、載せて、所定場所に投げられるように例えば前縁部が突縁状の掻き取り縁となって、両側部縁、後部縁に側壁を有した所定肉厚の合成樹脂製板にて浅底凹部状に形成されていると共に、適当な補強のための突条状のビード部を備え、軽量化等のための複数の孔が開穿されて成るものとしてある。もとより、ブレード３の形状、構造はこれに限定されることなく、雪Ｐを掻き寄せ、押す等によって移動させるようにするラッセル形、スコップ型等であっても良い。ただ、雪Ｐを載せて投げ捨てる等の作業時では、特に寒冷地において、この寒冷地の雪が比較的に湿度分が少ないことで、いわゆる軽い状態であることを考慮すれば、可能な限り一時に大量に処理できるようにするために、このブレード３自体は比較的に大型の広幅に形成されたものが使用されることが多い。このように比較的に大型で広幅であるブレード３である場合に、載せた雪による左右バランスが崩れることが多いから、本発明は、特に、こうした大型のブレード３が連結されている握柄２である場合に、後述する回転滑り止め溝部４を形成することが有効である。
【００２１】
この雪かき具本体１の握柄２には、図４に示すように、支点となる方の手Ｈで握る当該握柄２のブレード３に近い部位における周囲に、例えば断面形状が円弧形状で且つ握柄２の長手方向に沿って長さが例えば約１０〜２０ｃｍ程度、場合によっては３０ｃｍ程度となる凹形状の回転滑り止め溝部４が例えば５条もしくは６条等となって並設されている。
【００２２】
各回転滑り止め溝部４の深さは、使用者が自身の手で握持したとき、その僅かな握力で握柄２の回転を阻止できる程度の充分な深さとなるようにしてある。また、回転滑り止め溝部４の条数を５条とするか６条とするかは、適宜選定するものとしている。もとより、この回転滑り止め溝部４自体の形成長さ、深さ等はこれらに限定されず、その数も４条以下、７条以上とされることもある。
【００２３】
この回転滑り止め溝部４の他の断面形状としては、図３（ａ）に示すような矩形状としたり、あるいは図３（ｂ）に示すようなＶ字状としたり、他の曲線もしくは多角形による凹形状としても良い。なお、この回転滑り止め溝部４は、握柄２の外周面にいわばカット状に切除して凹形状にすることで形成する場合に限らず、凸形状に突き出した形状とすることで、その凹凸部相互間で得られる形状を回転滑り止め溝部４として形成することも可能であり、また握柄２の外周面を波形形状にすることで、その波形で得られる形状を回転滑り止め溝部４として形成することも可能である。要は、握柄２の外周部分に凹凸形状があり、それを使用者が手Ｈで握ったとき回転滑り止め溝部４として形成されていれば良く、その形成方法は特に限定されない。
【００２４】
また、図５（ａ）には握柄２に対する回転滑り止め溝部４の他の配置形態が示されており、この場合には、回転滑り止め溝部４が支点となる方の手Ｈで握る握柄２のブレード３に近い部位に加えて、支点とならない方の手Ｈで握る握柄２のブレード３からは遠い後方部位にも５条もしくは６条となっている回転滑り止め溝部４が周設されている。
【００２５】
また、図５（ｂ）には握柄２に対する回転滑り止め溝部４の更に他の配置形態が示されており、この場合の回転滑り止め溝部４は、握柄２の全長にわたって周設されている。尚、この場合、少なくとも、使用者が手Ｈで握る握柄２のブレード３に近い支点となる部位から、ブレード３から遠く、支点とならない方の手Ｈで握る握柄２部位に至るまでの全長にわたって５条もしくは６条となって周設されていても良い。
【００２６】
次に、以上のように構成された最良の形態についての使用の一例について説明する。例えば路面上等での除雪作業に際し、握柄２を両手Ｈで持ち、路面上でブレード３を押しながら移動させ雪Ｐを掻き取る。そして、降り積もった雪Ｐを掻き取って１回毎に適当量でブレード３に載せてから、握柄２における支点となる方の手Ｈで握る部位と支点とならない方の手Ｈで握る部位とを持ち、両手Ｈを左右に振り、その勢いで雪Ｐを数メートル先の所定場所等に投げ飛ばして除雪する。
【００２７】
このとき、図４に示すように、握柄２のブレード３に近い部位にある回転滑り止め溝部４部位を、投げるときの支点となる方の手Ｈで握る。こうすることで、ブレード３において例えば６対４の割合による雪Ｐの片寄りが生じる場合であっても、回転滑り止め溝部４に対する手Ｈの握力によって、手Ｈに対して握柄２が回転方向に滑らないものとなり、雪Ｐを投げ飛ばす前にブレード３から当該雪Ｐが落下してしまうのを防止する。
【図面の簡単な説明】
【００２８】
【図１】本発明を実施するための最良の形態における使用状態を示し、一部拡大斜視断面図を含む全体斜視図である。
【図２】同じく握柄に形成された回転滑り止め溝部の一例を示し、（ａ）は握柄の要部斜視図、（ｂ）は握柄を回転滑り止め溝部の位置で切断した状態の要部斜視断面図である。
【図３】同じく握柄に形成された回転滑り止め溝部の他例を示し、（ａ）は矩形状に形成された回転滑り止め溝部の位置で切断した要部斜視断面図、（ｂ）はＶ字状に形成された回転滑り止め溝部の位置で切断した要部斜視断面図である。
【図４】同じく握柄に対する回転滑り止め溝部の形成位置を示すもので、支点となる方の手で握る握柄のブレードに近い部位に周設した状態を示す斜視図である。
【図５】同じく回転滑り止め溝部の形成位置を示すもので、（ａ）は回転滑り止め溝部を支点となる方の手で握るブレードに近い部位と、支点とならない方の手で握るブレードから遠い部位とにそれぞれ周設した状態を示す斜視図、（ｂ）は握柄の全長にわたって周設した状態を示す斜視図である。
【図６】従来例における雪かき具の使用による除雪作業の一例を示し、（ａ）は雪を掻き取っている状態の説明図、（ｂ）はブレードに雪を載せた状態の説明図、（ｃ）はブレードから雪を投げ飛ばしている状態の説明図である。
【図７】従来例における雪かき具のブレードに載せた雪による握柄の動きを示し、（ａ）はブレードに対し左右均等にバランス良く雪が載せられている状態の説明図、（ｂ）および（ｃ）は、ブレードに載せた雪の左右バランスが崩れて握柄が回転する状態を示す説明図である。
【符号の説明】
【００２９】
Ｐ…雪                                  Ｈ…手
１…雪かき具本体                        ２…握柄
３…ブレード                            ４…回転滑り止め溝部
【図１】
2009019334.tif 000003
【図２】
2009019334.tif 000004
【図３】
2009019334.tif 000005
【図４】
2009019334.tif 000006
【図５】
2009019334.tif 000007
【図６】
2009019334.tif 000008
【図７】
2009019334.tif 000009